(57)【要約】【課題】アルカリ下地に起因する板状基材の変質を抑制する。【解決手段】板状基材１６と、板状基材１６の一方の表面側に設けられ、アルカリ成分の浸透を抑制する浸透抑制層１０とを備えている。【選択図】図１
2018105018.tif 000002
【特許請求の範囲】
【請求項１】
板状基材と、
上記板状基材の一方の表面側に設けられ、アルカリ成分の浸透を抑制する浸透抑制層とを備えていることを特徴とする建築用パネル。
【請求項２】
請求項１に記載された建築用パネルにおいて、
上記浸透抑制層は、樹脂フィルムからなることを特徴とする建築用パネル。
【請求項３】
請求項２に記載された建築用パネルにおいて、
上記樹脂フィルムは、ポリエチレンテレフタレートフィルムであることを特徴とする建築用パネル。
【請求項４】
請求項１〜３の何れか１つに記載された建築用パネルにおいて、
上記板状基材と上記浸透抑制層との間には、金属層が設けられていることを特徴とする建築用パネル。
【請求項５】
請求項４に記載された建築用パネルにおいて、
上記金属層は、アルミニウム箔からなることを特徴とする建築用パネル。
【請求項６】
請求項１〜５の何れか１つに記載された建築用パネルにおいて、
上記板状基材は、無機材料からなることを特徴とする建築用パネル。
【請求項７】
請求項６に記載された建築用パネルにおいて、
上記板状基材は、火山性ガラス質複層板からなることを特徴とする建築用パネル。
【発明の詳細な説明】
【技術分野】
【０００１】
本発明は、建築用パネルに関するものである。
【背景技術】
【０００２】
従来より、不燃性化粧板は、火災時の延焼を防ぐために、例えば、建築物の天井や壁等の内装用の建材として、広く用いられている。
【０００３】
例えば、特許文献１には、所定範囲の透湿抵抗を有する無機質系基材と、無機質系基材の裏面に設けられた金属水和物混合樹脂層と、無機質系基材の表面に設けられた化粧加工層とを備えた不燃性化粧板が開示されている。
【先行技術文献】
【特許文献】
【０００４】
【特許文献１】特開２０１０−７６３５８号公報
【発明の概要】
【発明が解決しようとする課題】
【０００５】
近年、建築物のコンクリート面やモルタル面等の下地に対して、シーラー等による下地処理を行うことなく、不燃性化粧板等の建築用パネルを直接的に施工することが要望されている。しかしながら、コンクリート面やモルタル面等の下地の表面には、アルカリ成分が発生し易いので、建築用パネルを構成する板状基材が侵されて変質するおそれがある。
【０００６】
本発明は、かかる点に鑑みてなされたものであり、その目的とするところは、アルカリ下地に起因する板状基材の変質を抑制することにある。
【課題を解決するための手段】
【０００７】
上記目的を達成するために、板状基材の一方の表面側にアルカリ成分の浸透を抑制する浸透抑制層を設けるようにしたものである。
【０００８】
具体的に本発明に係る建築用パネルは、板状基材と、上記板状基材の一方の表面側に設けられ、アルカリ成分の浸透を抑制する浸透抑制層とを備えていることを特徴とする。
【０００９】
上記の構成によれば、板状基材の一方の表面側にアルカリ成分の浸透を抑制する浸透抑制層が設けられているので、例えば、コンクリート面やモルタル面等の下地の表面にアルカリ成分が発生しても、そのアルカリ成分の板状基材側への浸透を浸透抑制層により抑制することができる。これにより、板状基材がアルカリ成分に侵され難くなるので、アルカリ下地に起因する板状基材の変質を抑制することができる。
【００１０】
上記浸透抑制層は、樹脂フィルムからなってもよい。
【００１１】
上記の構成によれば、浸透抑制層が樹脂フィルムにより構成されているので、アルカリ成分の板状基材側への浸透を具体的に抑制することができる。
【００１２】
上記樹脂フィルムは、ポリエチレンテレフタレートフィルムであってもよい。
【００１３】
上記の構成によれば、樹脂フィルムが汎用性の高いポリエチレンテレフタレートフィルムであるので、アルカリ成分の板状基材側への浸透を低コストで抑制することができる。
【００１４】
上記板状基材と上記浸透抑制層との間には、金属層が設けられていてもよい。
【００１５】
上記の構成によれば、板状基材と浸透抑制層との間に可燃性ガスの遮断性の高い金属層が設けられているので、建築用パネルに不燃性を付与することができる。また、浸透抑制層及び金属層により、板状基材への水分やアルカリ成分の浸透を抑制することができるので、板状基材における反りの発生を抑制することができる。
【００１６】
上記金属層は、アルミニウム箔からなってもよい。
【００１７】
上記の構成によれば、金属層が汎用性の高いアルミニウム箔により構成されているので、建築用パネルに低コストで不燃性を付与することができる。
【００１８】
上記板状基材は、無機材料からなってもよい。
【００１９】
上記の構成によれば、板状基材が無機材料により構成されているので、アルカリ下地に起因する板状基材の腐食を浸透抑制層により抑制することができる。
【００２０】
上記板状基材は、火山性ガラス質複層板からなってもよい。
【００２１】
上記の構成によれば、板状基材が火山性ガラス質複層板により構成されているので、優れた防火性能を有し、高強度で軽量の建築用パネルを実現することができる。ここで、火山性ガラス質複層板は、セメント系やケイ酸カルシウム系の板材と比べて、割れが生じ難く、熱による収縮が小さくなる。なお、セメント系やケイ酸カルシウム系の基材は、自由水や結合水を含んでいるので、火災時にそれらの自由水や結合水が蒸発することにより、急速に収縮して、割れが発生し易い。
【発明の効果】
【００２２】
本発明によれば、板状基材の一方の表面側にアルカリ成分の浸透を抑制する浸透抑制層が設けられているので、アルカリ下地に起因する板状基材の変質を抑制することができる。
【図面の簡単な説明】
【００２３】
【図１】本発明の実施形態に係る建築用パネルの断面図である。
【発明を実施するための形態】
【００２４】
以下、本発明の実施形態を図面に基づいて詳細に説明する。なお、本発明は、以下の実施形態に限定されるものではない。
【００２５】
図１は、本実施形態に係る建築用パネル２０の断面図である。
【００２６】
建築用パネル２０は、図１に示すように、浸透抑制層１０と、浸透抑制層１０上に第１接着層１１を介して設けられた金属層１２と、金属層１２上に第２接着層１３を介して設けられた紙層１４と、紙層１４上に第３接着層１５を介して設けられた板状基材１６とを備えている。
【００２７】
浸透抑制層１０は、例えば、厚さ１２μｍ〜１００μｍ程度のＰＥＴ（polyethylene terephthalate）フィルム等の樹脂フィルムにより構成され、板状基材１６へのアルカリ成分の浸透を抑制するようになっている。なお、本実施形態では、ＰＥＴフィルムからなる浸透抑制層１０を例示したが、浸透抑制層１０は、板状基材１６へのアルカリ成分の浸透が十分に抑制されるのであれば、例えば、ポリエチレンフィルム等のポリオレフィン系の樹脂フィルムにより構成されていてもよい。
【００２８】
第１接着層１１は、例えば、２液型ウレタン系接着剤等の溶液系接着剤により構成されている。
【００２９】
金属層１２は、例えば、厚さ５μｍ〜５０μｍ程度のアルミニウム箔等の金属箔により構成され、浸透抑制層１０で可燃性ガスが発生しても、その可燃性ガスが板状基材１６に到達し難くなっている。なお、本実施形態では、アルミニウム箔からなる金属層１２を例示したが、金属層１２は、例えば、鉄箔や銅箔等のその他の金属箔により構成されていてもよい。
【００３０】
第２接着層１３は、例えば、２液型ウレタン系接着剤等の溶液系接着剤により構成されている。
【００３１】
紙層１４は、例えば、坪量２３ｇ／ｍ２〜１００ｇ／ｍ２程度の和紙、洋紙、板紙等により構成され、金属層１２及び板状基材１６の貼り合わせを仲介するようになっている。
【００３２】
第３接着層１５は、例えば、酢酸ビニル系エマルジョン型接着剤、アクリル系エマルジョン型接着剤、ビニルウレタン系エマルジョン型接着剤等の水系接着剤、反応型ホットメルト接着剤等により構成されている。
【００３３】
板状基材１６は、無機材料からなり、例えば、密度０．５ｇ／ｃｍ３〜１．５ｇ／ｃｍ３程度で厚さ３ｍｍ〜９ｍｍ程度の火山性ガラス質複層板（例えば、大建工業株式会社製の商品名「ダイライト（登録商標）」）等により構成されている。なお、本実施形態では、火山性ガラス質複層板からなる板状基材１６を例示したが、板状基材１６は、例えば、ケイ酸カルシウム板、パルプセメント板、ロックウール板等のその他の不燃基材により構成されていてもよい。
【００３４】
上記構成の建築用パネル２０は、図１に示すように、例えば、建築物の内壁や天井等の下地材５の表面に施工用接着剤層６を介して貼り付けられる。ここで、下地材５は、例えば、表面にアルカリ成分が発生し易いコンクリートやモルタル等により構成されている。また、施工用接着剤層６は、例えば、ウレタン系接着剤や変性シリコーン系接着剤等により構成されている。
【００３５】
以上説明したように、本実施形態の建築用パネル２０によれば、板状基材１６の一方の表面側にアルカリ成分の浸透を抑制する浸透抑制層１０が設けられているので、例えば、コンクリート面やモルタル面等の下地の表面にアルカリ成分が発生しても、そのアルカリ成分の板状基材１６側への浸透を浸透抑制層１０により抑制することができる。これにより、板状基材１６がアルカリ成分に侵され難くなるので、アルカリ下地に起因する板状基材１６の変質を抑制することができる。
【００３６】
また、本実施形態の建築用パネル２０によれば、浸透抑制層１０を構成する樹脂フィルムが汎用性の高いＰＥＴフィルムであるので、アルカリ成分の板状基材１６側への浸透を低コストで抑制することができる。
【００３７】
また、本実施形態の建築用パネル２０によれば、板状基材１６と浸透抑制層１０との間に可燃性ガスの遮断性の高い金属層１２が設けられているので、建築用パネル２０に不燃性を付与することができる。また、浸透抑制層１０及び金属層１２により、板状基材１６への水分やアルカリ成分の浸透を抑制することができるので、板状基材１６における反りの発生を抑制することができる。
【００３８】
また、本実施形態の建築用パネル２０によれば、金属層１２が汎用性の高いアルミニウム箔により構成されているので、建築用パネル２０に低コストで不燃性を付与することができる。
【００３９】
また、本実施形態の建築用パネル２０によれば、板状基材１６が無機材料により構成されているので、アルカリ下地に起因する板状基材１６の腐食を浸透抑制層１０により抑制することができる。
【００４０】
また、本実施形態の建築用パネル２０によれば、板状基材１６が火山性ガラス質複層板により構成されているので、優れた防火性能を有し、高強度で軽量の建築用パネル２０を実現することができる。
【００４１】
なお、本実施形態では、板状基材として不燃基材が設けられた建築用パネルを例示したが、本発明は、板状基材として、無垢材、合板、ＭＤＦ（medium density fiberboard）等の木質基材が設けられた建築用パネル等にも適用することができる。
【産業上の利用可能性】
【００４２】
以上説明したように、本発明は、アルカリ下地に起因する板状基材の変質を抑制することができるので、極めて有用である。
【符号の説明】
【００４３】
１０      浸透抑制層
１２      金属層
１６      板状基材
２０      建築用パネル
【図１】
2018105018.tif 000003